(57)【要約】【課題】簡単な構成で薬の服用時期を適切に表示して、薬の飲み忘れ又は飲み過ぎを抑制できる薬ケースの提供を課題とする。【解決手段】複数の薬１０ｍを個別に包装する薬包装体１０内における各薬１０ｍの服用時期を示す複数の表示部１１ｎを有する服用時期表示手段１１と、薬包装体１０及び服用時期表示手段１１を着脱自在に、且つ服用時期表示手段１１の表示部１１ｎと薬包装体１０の薬１０ｍとを一対一の位置関係となるように保持するケース本体１２と、を備える。【選択図】図１
2009178414.tif 000002
【特許請求の範囲】
【請求項１】
複数の薬を個別に包装する薬包装体内における前記各薬の服用時期を示す複数の表示部を有する服用時期表示手段と、
前記薬包装体及び前記服用時期表示手段を着脱自在に、且つ前記服用時期表示手段の前記表示部と前記薬包装体の前記薬とを一対一の位置関係となるように保持するケース本体と、
を備える薬ケース。
【請求項２】
前記薬包装体は薬を収容する凸部を有し、
前記ケース本体及び前記服用時期表示手段のそれぞれは、前記薬包装体内の前記凸部を挿入する位置決め孔を有する請求項１に記載の薬ケース。
【請求項３】
前記ケース本体は、前記薬包装体及び前記服用時期表示手段を挟む上下ケースシートを有し、少なくとも前記上ケースシートは、前記位置決め孔、及び前記服用時期表示手段の前記表示部を外部に表示する表示用孔を有する請求項１または２に記載の薬ケース。
【請求項４】
前記位置決め孔は５個単位で一列に配置され、前記表示部には７曜日のうち連続する少なくとも６つの曜日が示されている請求項２または３に記載の薬ケース。
【請求項５】
前記服用時期表示手段は前記表示部の列を４列有し、各列における先頭の前記表示部は、７曜日から連続する２つの曜日をあけずに抽出した４つの曜日の何れかを示し、
前記服用時期表示手段は、前記ケース本体に対して前記表示部の配列方向に１つの前記表示部だけ移動自在である請求項４に記載の薬ケース。
【発明の詳細な説明】
【技術分野】
【０００１】
本発明は、ＰＴＰシートに収容された薬の飲み忘れを抑制するのに好適な薬ケースに関する。
【背景技術】
【０００２】
錠剤やカプセル剤の薬は、ＰＴＰ（Press Through Package ）シートに複数個、例えば５個単位で一列に収容されていることが多い。一方、ＰＴＰシートに収容されている錠剤やカプセル剤の薬は、一定期間に亘って毎日、或いは定期的に服用するのが一般的である。しかし、薬の服用者が、ある日に服用すべき薬を服用したかどうかを失念することがある。
【０００３】
決められた日に服用すべき薬を服用しなかった場合は、薬の服用によって得られる効果を満足に得ることができず、再治療を余儀なくされるおそれがある。この場合は、薬代の増加、或いは服用者のＱＯＬ（Quality of Life）が低下するなどの問題が発生する。
【０００４】
そこで、従来、ＰＴＰシートに収容されている薬の飲み忘れを防止するため、ＰＴＰシートに一列あたり７個（７曜日に対応）単位で、一列又は複数列の薬を収容し、薬の横に月曜日から日曜日までを示す文字を印刷する等の飲み忘れを防止する技術が提案されている。
【特許文献１】特開２００６−４２９１０号公報
【発明の開示】
【発明が解決しようとする課題】
【０００５】
しかしながら、従来のＰＴＰシートに一列あたり７個の薬を収容する技術では、一列に５個の薬を収容する一般的なＰＴＰシートの製造ラインを大幅に変更する必要があり、設備の費用だけでなく、ＧＭＰ（Good Manufacturing Practice）適合試験及び文書作成の費用等が増大し、コストアップになるという問題があった。
【０００６】
本発明は、このような問題に鑑みなされたもので、簡単な構成で薬の服用時期を適切に表示し、これにより薬の飲み忘れ又は飲み過ぎを抑制する薬ケースの提供を課題とする。
【課題を解決するための手段】
【０００７】
本発明は、前記課題を解決するため、以下の手段を採用した。
すなわち、本発明は、
複数の薬を個別に包装する薬包装体内における前記各薬の服用時期を示す複数の表示部を有する服用時期表示手段と、
前記薬包装体及び前記服用時期表示手段を着脱自在に、且つ前記服用時期表示手段の前記表示部と前記薬包装体の前記薬とを一対一の位置関係となるように保持するケース本体と、
を備える。
【０００８】
この構成によれば、ケース本体と服用時期表示手段とで構成できるので、構成を簡略化できる。また、例えば薬包装体における一列の薬のうち先頭の薬の服用時期に合わせて、服用時期表示手段を変えることにより、全ての薬の服用時期を適切に表示できる。これにより、薬の飲み忘れを抑制できる。なお、薬包装体としてＰＴＰ（Press Through Package ）シートを例示でき、服用時期表示手段及び前記ケース本体として比較的剛性の高い紙や樹脂のシートを例示できる。
【０００９】
ここで、前記薬包装体は薬を収容する凸部を有し、
前記ケース本体及び前記服用時期表示手段は、前記薬包装体内の前記凸部を挿入する位置決め孔を有する構成にできる。
【００１０】
この構成によれば、薬包装体のカバーを利用して薬包装体、服用時期表示手段及びケース本体の位置関係を保持できる。
【００１１】
また、前記ケース本体は、前記薬包装体及び前記服用時期表示手段を挟む上下ケースシートを有し、少なくとも前記上ケースシートは、前記位置決め孔、及び前記服用時期表示手段の前記表示部を外部に表示する表示用孔を有する構成にできる。
【００１２】
この構成によれば、ケース本体の構成を簡略化できる。また、薬包装体及び服用時期表示手段をケース本体によって確実に保持できる。
【００１３】
また、前記位置決め孔は５個単位で一列に配置され、前記表示部は７曜日のうち連続する６つの曜日を表示する構成にできる。この構成によれば、５個の薬が一列に包装されている一般的なＰＴＰシートを用いて、ＰＴＰシート内の薬の服用時期を月曜日から日曜日までの何れか一日を適切に表示できる。
【００１４】
また、前記服用時期表示手段は前記表示部の列を４列有し、各列における先頭の前記表示部は、７曜日のうち連続する２つの曜日をあけずに抽出した４つの曜日の何れかであり、  前記服用時期表示手段は、前記ケース本体に対して前記表示部の配列方向に１つの前記表示部だけ移動自在である構成にできる。この構成によれば、例えば一枚のシートを折り畳んで上下の表示シートを有する１つの服用時期表示手段を使用し、上下表示シートの表面及び裏面（合計４面）に、それぞれ表示部の列を一列ずつ設け（合計４列）、この服用時期表示手段を１つの表示部だけ上下（表示部の配列方向）にずらすことにより、各列の先頭の表示部を月〜日の何れかに設定できる。また、一列あたりの表示部の数を少なくできるので、服用時期表示手段における表示部の列方向の寸法を小さくして、服用時期表示手段を小型化でき、その結果、薬ケースを小型化できる。
【発明の効果】
【００１５】
本発明によれば、服用時期表示手段と、ケース本体とで構成できるので、構成を簡略化できる。また、薬包装体内の薬の数や、薬の服用時期が変わった場合でも、薬包装体又は服用時期表示手段を取り替えることにより、薬の服用時期を適切に表示できる。更に、ケース本体によって、薬包装体及び服用時期表示手段を所定の位置関係に保持できるので、薬の服用時期を適切に表示できる。
【発明を実施するための最良の形態】
【００１６】
以下、本発明に係る薬ケースの実施の形態を、添付した図面に基づいて詳細に説明する。なお、以下の実施形態は一実施例であり、本発明は実施形態に限定されない。
【００１７】
図１は、本発明に係る薬ケース１のカバーシートを開いた状態を示す。この薬ケース１は、複数個の薬１０ｍ（ｍ＝ａ，ｂ，ｃ・・・）を個別に包装する薬包装体であるＰＴＰシート１０内における薬１０ｍの服用時期を表示するべく、複数の表示部１１ｎ（ｎ＝ａ，ｂ，ｃ・・・）を有する服用時期表示手段である曜日表示シート１１と、ＰＴＰシート１０及び曜日表示シート１１を着脱自在に、且つ曜日表示シート１１の表示部１１ｎとＰＴＰシート１０の薬１０ｍとを所定の位置関係に保持するケース本体１２と、を備えている。
【００１８】
次に、上記各構成要素について説明する。ＰＴＰシート１０は、図２（ａ）に示すように、一列につき５個の薬１０ｍが２列Ａ，Ｂに亘って個別に収容されている。なお、図２（ａ）中の符号Ｗは、Ａ，Ｂ列の間隔である。
【００１９】
このＰＴＰシート１０は、図２（ｂ）に示すように、薬１０ｍを挿入する複数の凸部１７ａを有する比較的剛性の高い透明シート１７と、凸部１７ａに挿入された薬１０ｍの脱落を防止するため、透明シート１７における凸部１７ａの開口側の表面に設けられたフィルム１８とを有している。ＰＴＰシート１０から薬１０ｍを取り出す際には、凸部１７ａの上から薬１０ｍをフィルム１８側に押圧する。これにより、フィルム１８が破断され、凸部１７ａの開口から薬１０ｍを取り出すことができる。
【００２０】
曜日表示シート１１は、図３に示すように、例えば紙や樹脂等の比較的剛性の高い材料で略長方形に形成されている。また、本実施形態では、表示部１１ｎとして７曜日を示す文字が使用されている。この表示部１１ｎは、薬１０ｍの一列あたりの個数より一個多く設けられている。上記のように、ＰＴＰシート１０には、一列に５個の薬１０ｍが収容されているので、表示部１１ｎは一列あたり６個設けられている。また、本実施形態では、上記のように服用時期を７曜日で表示するので、表示部１１ｎは７曜日のうち連続する６つの曜日を示す文字が使用されている。
【００２１】
各表示部１１ｎの側方には、表示部１１ｎと同数で一列に配置された第１位置決め孔１９ｎが設けられている。この第１位置決め孔１９ｎは、ＰＴＰシート１０の凸部１７ａを挿入できる直径を有している。表示部１１ｎと第１位置決め孔１９ｎとの間隔は、ＰＴＰシート１０におけるＡ，Ｂ列の間隔Ｗと同一としてもよい。
【００２２】
これにより、ＰＴＰシート１０における薬１０ｍの列数が一列の場合に、例えば２列の第１位置決め孔１９ｎのうち、一方の列の第１位置決め孔１９ｎにＰＴＰシート１０の凸部１７ａを挿入し、もう一方の第１位置決め孔１９ｎから表示部１１ｎを外部に表示するなどの対応が可能になる。なお、上側及び下側表示シート２０，２１（図４参照）を閉じた場合には、上側及び下側表示シート２０，２１の第１位置決め孔１９ｎ，１９ｎが整合配置される。
【００２３】
また、本実施形態では、曜日表示シート１１は、図４に示すように、一枚のシートをヒンジ２２で折り畳んで開閉自在とした上側表示シート２０及び下側表示シート２１を有している。これらの上側及び下側表示シート２０，２１は、略長方形に形成されている。ここでは、曜日表示シート１１における上側及び下側表示シート２０，２１の表裏面２０ａ，２０ｂ，２１ａ，２１ｂの４面を用いて服用時期を表示する。なお、図１は、上側表示シート２０を上側、下側表示シート２１を下側にして折り畳んだ状態を示している。
【００２４】
上側及び下側表示シート２０，２１の表面２０ａ，２１ａ、及び裏面２０ｂ，２１ｂには、図５（ａ），（ｂ）に示すように、一列に配置された６個の第１位置決め孔１９ｎ、及び６個の表示部１１ｎが設けられている。上側及び下側表示シート２０，２１の表面２０ａ，２１ａ、及び裏面２０ｂ，２１ｂの各列の表示部１１ｎにおける先頭の表示部１１ａは、互いに異なる曜日を示している。第１の位置決め孔１９ｎは、後述のように、薬取り出し用の孔としても機能する。
【００２５】
なお、先頭の表示部１１ｎとは、上側及び下側表示シート２０，２１の表裏面２０ａ，２０ｂ，２１ａ，２１ｂにおける表示部１１ｎを、通常読む方向から見たときに、各列の一番上に配置されている表示部１１ａである。例えば上側表示シート２０の表面２０ａにおける表示部１１ｎのうち先頭の表示部１１ａは、ヒンジ２２に最も近い土（曜日）である。また、上側表示シート２０の裏面２０ｂにおける先頭の表示部１１ａは、ヒンジ２２
に最も遠い月（曜日）である。下側表示シート２１についても同様である。
【００２６】
本実施形態では、表裏面２０ａ，２０ｂ，２１ａ，２１ｂの合計４列の表示部１１ｎのうち、各列の先頭の表示部１１ａは、７曜日のうち連続する２つの曜日を開けずに抽出された４つの曜日の何れかとする。ここでは、各列の先頭の表示部１１ａは、土曜日、月曜日、水曜日、金曜日の何れかとする。
【００２７】
例えば、図５（ａ）に示すように、上側表示シート２０の表面２０ａにおける列の先頭の表示部１１ａは土（曜日）とし、裏面２０ｂにおける先頭の表示部１１ａは月（曜日）とする。また、下側表示シート２１の表面２１ａにおける先頭の表示部１１ａは金（曜日）とし、裏面２１ｂにおける先頭の表示部１１ａは水（曜日）とする。
【００２８】
更に、上側及び下側表示シート２０，２１の表面２０ａ、２１ａにおける表示部１１ｎの向きに対して、裏面２０ｂ，２１ｂの表示部１１ｎは上下反転している。これは、第１及び第２表示シート２０，２１を折り返した際に、表示部１１ｎをケース本体１２の表示用孔２４ｍに対応しやすくするためである。
【００２９】
このように、曜日表示シート１１は、折り畳み可能なヒンジ２２によって折り畳み可能な上側表示シート２０及び下側表示シート２１から構成されている。また、上側及び下側表示シート２０，２１のそれぞれの表面２０ａ，２１ａ及び裏面２０ｂ，２１ｂには、それぞれ６個の表示部１１ｎが一列に設けられている（合計４列）。更に、上側及び下側表示シート２０，２１にはそれぞれ、ヒンジ２２から折り畳んだときに表面２０ａ，２１ａから裏面２０ｂ，２１ｂに貫通する第１の位置決め孔１９ｎが設けられている。
【００３０】
ケース本体１２は、図６に示すように、ＰＴＰシート１０及び曜日表示シート１１を挟む一対の上下ケースシート１５，１６を有している。これらの上下ケースシート１５，１６は略長方形に形成され、その一方の長辺がヒンジ２３によって開閉自在に接続されている。
【００３１】
また、上ケースシート１５には、上下ケースシート１５，１６間にＰＴＰシート１０を挟んだ状態で、ＰＴＰシート１０の凸部１７ａ（図２（ｂ）参照）を挿入するための第２位置決め孔１２ｍが設けられている。この第２位置決め孔１２ｍは、ＰＴＰシート１０の薬１０ｍと同列、ここでは２列に亘って設けられている。これらの第２位置決め孔１２ｍは、ＰＴＰシート１０の薬１０ｍの間隔と同一の間隔で設けられ、曜日表示シート１１の第１位置決め孔１９ｎと同一の直径を有している。
【００３２】
また、上ケースシート１５には、上下ケースシート１５，１６間に曜日表示シート１１を挟んだ状態で、曜日表示シート１１の６個の表示部１１ｎのうち、連続する５個を外部に表示するための表示用孔２４ｍが設けられている。これらの表示用孔２４ｍは、第２位置決め孔１２ｍと同一の直径及び同一の間隔で設けられている。また、本実施形態では、表示用孔２４ｍの列と、隣接する第１位置決め孔１２ｍの列との間隔は、２列の第２位置決め孔１２ｍにおける列の間隔Ｗと同一である。なお、表示用孔２４ｍの列と隣接する第１位置決め孔１２ｍの列との間隔は、２列の第２位置決め孔１２ｍにおける列の間隔Ｗと同一でなくても良い。また、表示用孔２４ｍと第２位置決め孔１２ｍの大きさは、同一でなくても良い。
【００３３】
下ケースシート１６には、２列の薬取り出し用孔３５ｍが設けられている。この薬取り出し用孔３５ｍの直径、孔の間隔、及び列の間隔は、上ケースシート１５における第２位置決め孔１２ｍと同一である。また、上下ケースシート１５，１６を閉じたときには、薬取り出し用孔３５ｍは、第２位置決め１２ｍに整合配置される。
【００３４】
下ケースシート１６の一方の短辺１６ａ側には、上ケースシート１５を覆うカバーシート２５がヒンジ２６を介して設けられている。このカバーシート２５は、下ケースシート１６と略同一の形状及び大きさを有している。また、カバーシート２５の先端には、係止片２５ａが突出して設けられている。更に、下ケースシート１６の他方の短辺１６ｂ側には、ヒンジ２７を介して係止部２８が設けられている。係止部２８には、カバーシート２５の係止片２５ａを係止する係止用スリット２８ａが設けられている。
【００３５】
また、上ケースシート１５におけるヒンジ２３の反対側の長辺には、係合片１５ａが突出して設けられている。下ケースシート１６におけるヒンジ２３の反対側の長辺には、上ケースシート１５の係合片１５ａを係合する係合用凹部１６ｃが設けられている。この係合用凹部１６ｃは、係合片１５の係合及び係合解除を簡単にするため、奥広がりの略台形状に形成されている。
【００３６】
次に、この薬ケース１の作用を説明する。薬ケース１によってＰＴＰシート１０及び曜日表示シート１１を保持する場合は、図７に示すように、ケース本体１２の上下ケースシート１５，１６間に、ＰＴＰシート１０と曜日表示シート１１とを挟み、上ケースシート１５の係合片１５ａを下ケースシート１６の係合用凹部１６ａに係合する。この後、カバーシート２５を上ケースシート１５上に被せて、カバーシート２５の係止片２５ａを、下ケースシート１６における係止部２８の係止用スリット２８ａに挿入して係止する。これにより、ＰＴＰシート１０、曜日表示シート１１，上ケースシート１５が，下ケースシート１６とカバーシート２５によって押さえられるので、ＰＴＰシート１０及び曜日表示シート１１がケース本体１２から不用意に脱落するのを防止できる。
【００３７】
上下ケースシート１５，１６間に、ＰＴＰシート１０及び曜日表示シート１１を挟むときには、図８に示すように、ＰＴＰシート１０を曜日表示シート１１の上側及び下側表示シート２０，２１で挟み、ＰＴＰシート１０及び曜日表示シート１１をケース本体１２の上下ケースシート１５，１６で挟む。この際、ＰＴＰシート１０における２列の凸部１７ａのうち、一方の列の凸部１７ａを曜日表示シート１１における上側表示シート２０の第１位置決め孔１９ｎ、及びケース本体１２の一方の列における第２位置決め孔１２ｍに挿入する。なお、曜日表示シート１１は、両シート２０，２１をＰＴＰシート１０の上側に配置することもできる。
【００３８】
また、ＰＴＰシート１０における他方の列の凸部１７ａを、ケース本体１２の他方の列の第２位置決め孔１２ｍに挿入する。これにより、ＰＴＰシート１０の薬１０ｍと、ケース本体１２の表示用孔２４ｍから外部に表示される曜日表示シート１１の表示部１１ｎとが、図９中の左右方向に１対１で対応した位置関係に保持される。また、曜日表示シート１１の上下２表示シート２０，２１の第１位置決め孔１９ｎと、ケース本体１２における上下ケースシート１５，１６の第２位置決め孔１２ｍとが上下に整合して配置される。
【００３９】
この状態から、カバーシート２５を開くと、上ケースシート１５の表示用孔２４ｍから、曜日表示シート１１における上側表示シート２０の６個の表示部１１ｎのうち、何れか５個が外部に表示される。本実施形態では、図９に示すように、曜日表示シート１１の上側表示シート２０における表面２０ａの６個の表示部１１ｎ（土〜木）のうち、５個の表示部１１ｎ（土〜水）が、ＰＴＰシート１０の薬１０ｍに一対一で対応して表示される。
【００４０】
図９の場合は、各表示部１１ｎと２個の薬１０ｍとが一対一で対応しているので、土曜日〜水曜日に毎日２個（２個同時又は時間を置いて１個ずつ）の薬１０ｍを服用することが分かる。これにより、薬１０ｍの飲み忘れを抑制できる。
【００４１】
ここで、ＰＴＰシート１０における一列の薬１０ｍのうち先頭の薬１０ａの服用時期が土曜日以外の場合は、上側表示シート２０の裏面２０ｂ、第２表示シート２１の表面２１ａ又は裏面２１ｂ（図５参照）の何れかにおける表示部１１ｎを、上ケースシート１５における表示用孔２４ｍから外部に表示することにより、ＰＴＰシート１０のＡ，Ｂ列における先頭の薬１０ｍの服用時期を、月曜日（上側表示シート２０の裏面２０ｂ）、金曜日（第２表示シート２１の表面２１ａ）、又は水曜日（第２表示シート２１の裏面２１ｂ）の何れかに変更できる。
【００４２】
更に、曜日表示シート１１を一つの表示部１１ｎだけ上側（表示部１１ｎの配列方向）にずらすことにより、先頭の薬１０ｍの服用時期を日曜日（上側表示シート２０の表面２０ａ）、火曜日（上側表示シート２０の裏面２０ｂ）、木曜日（第２表示シート２１の裏面２１ｂ）の何れかに変更できる。
【００４３】
すなわち、本実施形態では、１つの曜日表示シート１１を用いて、第１又は第２表示シート２０，２１の表面２０ａ又は２１ａの何れかを選択して表示し、更に曜日表示シート１１を一表示部１１ｎだけ上側にずらすことにより、ＰＴＰシート１０における列の先頭の薬１０ａの服用時期を月曜日〜日曜日の何れかから選択でき、且つ全ての薬１０ｍの服用時期を適切に表示できる。また、ＰＴＰシート１０が多数ある場合にも、一つのケース本体１２及び一つの曜日表示シート１１を使用し、ＰＴＰシート１０を取り替えることにより対応できる。
【００４４】
薬ケース１内の薬１０ｍを取り出す場合は、ケース本体１２の上ケースシート１５上からＰＴＰシート１０における凸部１７ａを介して薬１０ｍを押圧する。これにより、薬１０ｍによってＰＴＰシート１０のフィルム１８（図２（ｂ）参照）が押圧されて破れるので、下側表示シート２１の第１位置決め孔１９ｎ及び下ケースシート１６の薬取り出し用孔３５ｍから薬１０ｍを簡単に取り出すことができる。このとき、下側表示シート２１の第１位置決め孔１９ｎは、薬取り出し用の孔として機能する。
【００４５】
このように、本実施形態に係る薬ケース１は、曜日表示シート１１とケース本体１２とによって構成できるので、構成を簡略化してコストダウンをはかることができる。また、ケース本体１２の第２位置決め孔１２ｍ、及び曜日表示シート１１の第１位置決め孔１９ｎによって、ＰＴＰシート１０及び曜日表示シート１１が所定の位置関係に保持され、ＰＴＰシート１０の薬１０ｍと曜日表示シート１１の表示部１１ｎとが一対一で関連付けられるので、薬１０ｍの服用時期を適切に且つ確実に表示できる。また、ＰＴＰシート１０における薬１０ｍの服用時期が変わった場合でも、一つの曜日表示シート１１によって全ての薬１０ｍの服用時期を表示できるので、部品点数を低減できる。
【００４６】
なお、上記実施形態では、ＰＴＰシート１０に薬１０ｍが２列に亘って収容されている場合について説明したが、薬１０ｍが１列の場合は、この薬１０ｍを収容する凸部１７ａをケース本体１２における表示用孔２４ｍから遠い方の第２決め孔１２ｍ（図６参照）に挿入し、表示用孔２４ｍに近い方の第２決め孔１２ｍから曜日表示シート１１の表示部１１ｎを表示することにより対応できる。
【００４７】
また、上記実施形態では、曜日表示シート１１における上側及び下側表示シート２０，２１の短辺をヒンジ２２で開閉自在に接続する場合について説明したが、図１０（ａ），（ｂ）に示すように、上側及び下側表示シート２０，２１の長辺をヒンジ３１で開閉自在に接続してもよい。
【００４８】
また、図１１（ａ），（ｂ）に示すように、一枚の曜日表示シート１１の中央部分に２列の第１決め孔１９ｎを設け、曜日表示シート１１の表裏面３０ａ，３０ｂにおける第１
決め孔１９ｎの両側に、表示部１１ｎを設けることができる。これにより、一枚の曜日表示シート１１によってヒンジ２２，３１を設けることなく、先頭の薬１０ａを含む全ての薬１０ｍの服用時期を、７曜日の何れかから選択して表示できる。なお、この場合は、曜日表示シート１１の面積が広くなるので、上下ケースシート１５，１６間に曜日表示シート１１を挟むスペースを設ける。
【００４９】
また、曜日表示シート１１における上側及び下側表示シート２０，２１の表裏面２０ａ，２０ｂ，２１ａ，２１ｂにおける各列の表示部１１ｎの先頭の表示部１１ａ、及び表示部１１ｎの配列順序は上記実施形態に限らず、任意に選択できる。
【００５０】
また、上記実施形態では、一枚の曜日表示シート１１における上側及び下側表示シート２０，２１の表裏面２０ａ，２０ｂ，２１ａ，２１ｂに、それぞれ一列における表示部１１ｎ（月曜日〜日曜日）の配列が異なる合計４列の表示部１１ｎを設けたが、一列における薬１０ｍの数と同数の表示部１１ｍと、これに対応する第１位置決め孔１９ｍの列とを一組として、７組の表示部１１ｎ（先頭の表示部１１ａが月〜日の何れか）及び第２位置決め孔１９ｍを、それぞれ別の曜日表示シート（合計７つ）に設けることができる。
【００５１】
この場合は、７枚の曜日表示シートを使用し、これらの曜日表示シートを交換して使用する。なお、一枚の曜日表示シートにおける表面及び裏面に表示部を設けることができ、この場合は、４枚の曜日表示シートですむ。
【００５２】
また、上記実施形態では、一枚のＰＴＰシート１０に薬１０ｍが２列に亘って設けられ、この一枚のＰＴＰシート１０を薬ケース１にセットする場合について説明したが、２枚のＰＴＰシート１０，１０にそれぞれ種類の異なる薬１０ｍが２列ずつ設けられ、各ＰＴＰシート１０の薬１０ｍを一列ずつ組み合わせて２種類の薬１０ｍ、１０ｍを同時に服用する場合には、各ＰＴＰシート１０の薬１０ｍを１列ずつ切り離し、これらを同一の薬ケース１に２列にセットすることができる。
【００５３】
例えば、２５μｇの薬１０ｍが２列設けられたＰＴＰシート１０と、５０μｇの薬１０ｍが２列設けられたＰＴＰシート１０とがあり、一回に２５μｇの薬１０ｍを１個と、５０μｇの薬１０ｍを１個とを組み合わせて合計７５μｇの薬１０ｍを服用する場合には、各ＰＴＰシート１０，１０から一列分の薬１０ｍ、１０ｍを切り取り、これらの種類の異なる合計２列の薬１０ｍ，１０ｍを、薬ケース１の２列の第２位置決め孔１２ｍにセットする。これにより、種類の異なる薬を組み合わせて服用する場合でも、薬の服用を失念するのを防止できる。
【００５４】
なお、第１位置決め孔１９ｍは、３列以上設けることができる。これにより、一回に同一種類の薬１０ｍを３個以上服用する場合、或いは種類の異なる薬１０ｍを３個以上服用する場合でも対応できる。種類の異なる薬１０ｍを３個服用する場合としては、例えば、一回に２５μｇの薬１０ｍを１個、５０μｇの薬１０ｍを２個、合計１２５μｇの薬１０ｍを服用するような場合でも、第２位置決め孔１２ｍを３列以上設けることにより対応できる。
【００５５】
また、一日おきに薬１０ｍを服用する場合、例えば最初の週が月曜、水曜、金曜に服用し、次の週は日曜、火曜、木曜、土曜に服用するような場合には、最初の週は曜日表示シート１１の先頭の表示部１１ｎが月曜になるようにセットし、次の週は曜日表示シート１１の表示面を入れ替えて、先頭の表示部１１ｎが日曜になるようにセットすればよい。
【図面の簡単な説明】
【００５６】
【図１】本実施形態に係る薬ケースを示す斜視図である。
【図２】図２（ａ）は本実施形態に係るＰＴＰシートを示す正面図、図２（ｂ）は図２（ａ）のＡ−Ａ断面図である。
【図３】本実施形態に係る曜日表示シートを示す図である。
【図４】本実施形態に係る曜日表示シートを開いた状態を示す斜視図である。
【図５】図５（ａ）は本実施形態に係る曜日表示シートの表面を示す図、図５（ｂ）は裏面を示す図である。
【図６】本実施形態に係るケース本体を開いた状態で示す斜視図である。
【図７】本実施形態に係るケース本体にＰＴＰシート及び曜日表示シートを挟んだ状態を示す断面図である。
【図８】本実施形態に係るケース本体に、ＰＴＰシート及び曜日表示シートを挟む直前の状態を示す断面図である。
【図９】本実施形態に係る薬と位置決め孔との位置関係、表示部と表示用孔との位置関係を示す図である。
【図１０】図１０（ａ）は別の実施形態に係る２枚の曜日表示シートの表面を示す図、図１０（ｂ）は裏面を示す図である。
【図１１】図１１（ａ）は別の実施形態に係る１枚の曜日表示シートの表面を示す図、図１１（ｂ）は裏面を示す図である。
【符号の説明】
【００５７】
１      薬ケース
１０    ＰＴＰシート（薬包装体）
１０ｍ（ｍ＝ａ，ｂ・・・）  薬
１１    曜日表示シート（服用時期表示手段）
１１ｎ（ｎ＝ａ，ｂ・・・）  表示部
１２    ケース本体
１２ｍ  第２位置決め孔
１５    上ケースシート
１５ａ  係合片
１６    下ケースシート
１６ａ  下ケースシートの一方の短辺
１６ｂ  下ケースシートの他方の短辺
１６ｃ  係合用凹部
１７    ＰＴＰシートの透明シート
１７ａ  ＰＴＰシートの凸部（薬収容部）
１８    フィルム
１９ｎ  第１位置決め孔
２０    上側表示シート
２０ａ  上側表示シートの表面
２０ｂ  上側表示シートの裏面
２１    下側表示シート
２１ａ  下側表示シートの表面
２１ｂ  下側表示シートの裏面
２２，２３，２６，２７，３１  ヒンジ
２４ｍ  表示用孔
２５    カバーシート
２５ａ  カバーシートの係止片
２８    ケース本体の係止部
２８ａ  係止用スリット
３０    ＰＴＰシートのフィルム
３０ａ，３０ｂ  ＰＴＰシートの表裏面
３５ｎ  薬取り出し用の孔
【図１】
2009178414.tif 000003
【図２】
2009178414.tif 000004
【図３】
2009178414.tif 000005
【図４】
2009178414.tif 000006
【図５】
2009178414.tif 000007
【図６】
2009178414.tif 000008
【図７】
2009178414.tif 000009
【図８】
2009178414.tif 000010
【図９】
2009178414.tif 000011
【図１０】
2009178414.tif 000012
【図１１】
2009178414.tif 000013